(57)【要約】【課題】本発明は、ケーブルを一定の位置に収納でき、外観が良好となるとともにケーブルの変形を防止できる支持装置を得ることにある。【解決手段】支持装置(2)は、第１の筐体(10)と、第１の筐体を取り外し可能に支持する第２の筐体(11)と、第１の筐体と第２の筐体とを電気的に接続するケーブル(12)とを備えている。第２の筐体は、第１の筐体を載せた時にケーブルを収めるケーブルホルダ(70)を有している。【選択図】      図３
2005148931.tif 000002
【特許請求の範囲】
【請求項１】
第１の筐体と、
上記第１の筐体を取り外し可能に支持する第２の筐体と、
上記第１の筐体と上記第２の筐体との間を電気的に接続するケーブルと、を具備し、
上記第２の筐体は、上記第１の筐体を載せた時に上記ケーブルを収めるケーブル収納部を有することを特徴とする支持装置。
【請求項２】
請求項１の記載において、上記第２の筐体は、本体と、上記第１の筐体を受け止める支持部とを有し、上記支持部は上記本体から起立するとともに、上記本体に対する起立角度が調整可能であることを特徴とする支持装置。
【請求項３】
請求項１又は請求項２の記載において、上記ケーブル収納部は透明であるとともに、上記支持部に開口するケーブル導入口を有することを特徴とする支持装置。
【請求項４】
電子機器を取り外し可能に支持するトレイと、
本体と、この本体に設けられ、上記トレイを取り外し可能に支持するトレイ支持部とを有するベースと、
上記トレイと上記ベースとの間を電気的に接続するとともに、上記トレイおよび上記ベースの外に引き出されたケーブルと、を具備し、
上記ベースの上記トレイ支持部は、上記トレイを載せた時に上記ケーブルを収めるケーブル収納部を有することを特徴とする支持装置。
【請求項５】
請求項４の記載において、上記トレイ支持部は、上記本体から起立するとともに、上記トレイを受け止める前面を有し、上記ケーブル収納部は、上記トレイ支持部の前面に開口するケーブル導入口を有することを特徴とする支持装置。
【請求項６】
請求項５の記載において、上記ケーブル収納部は、上記トレイ支持部を貫通して上記前面の反対側に向けて突出するとともに、上記ケーブル導入口と向かい合う突出端を有し、このケーブル収納部の突出端は閉塞されていることを特徴とする支持装置。
【請求項７】
請求項６の記載において、上記ケーブル収納部は、上記ケーブル導入口と上記突出端との間を結ぶ一対の側壁を有し、上記ケーブルは上記ケーブル収納部の側壁の間に取り出し可能に入り込むことを特徴とする支持装置。
【請求項８】
請求項７の記載において、上記ケーブル収納部の側壁は、その内面に上記ケーブルの外周面が摺動可能に接触する複数の凸部を有し、これら凸部は、上記ケーブル収納部の突出端から上記ケーブル導入口に向けて延びるとともに、互いに間隔を存して平行に配置されていることを特徴とする支持装置。
【請求項９】
請求項５ないし請求項８のいずれかの記載において、上記ケーブルの外周面は合成樹脂製の保護チューブで構成されているとともに、上記ケーブル収納部は透明な合成樹脂製であることを特徴とする支持装置。
【請求項１０】
請求項５の記載において、上記トレイ支持部の前面は、上記トレイが取り外し可能に引っ掛かる複数のトレイ受けを有し、これらトレイ受けは、上記ケーブル導入口を間に挟んで上記前面の幅方向に振り分けて配置されていることを特徴とする支持装置。
【発明の詳細な説明】
【技術分野】
【０００１】
本発明は、例えばポータブルコンピュータのような電子機器に外部機器を接続する際に、この電子機器を取り外し可能に支持する支持装置に関する。
【背景技術】
【０００２】
ポータブルコンピュータのような電子機器は、携帯性に優れることがその商品価値を高める大きな要素となっている。このため、ポータブルコンピュータの筐体は、薄くコンパクトに設計されており、それ故、筐体の内部に例えば外部機器を接続する複数のコネクタやマルチドライブ等を収容するスペースを充分に確保することができない。
【０００３】
このことから、携帯性を重要視したポータブルコンピュータは、拡張用コネクタを装備している。拡張用コネクタは、ポータブルコンピュータをドッキングステーションと称する拡張装置に接続するためのものであり、この接続によりポータブルコンピュータがデスクトップ形のコンピュータと比較しても遜色のない機能を確保し得るようになっている。
【０００４】
従来の拡張装置は、ポータブルコンピュータを取り外し可能に支持するトレイと、各種の外部機器を接続する複数の補助コネクタを有するドッグと、上記トレイと上記ドックとの間に跨るインターフェイスケーブルとを備えている。インターフェイスケーブルは、その一端と他端に夫々コネクタを有している。一方のコネクタは、トレイに電気的に接続されているとともに、他方のコネクタはドックに電気的に接続されている。
【０００５】
このため、トレイにポータブルコンピュータを載せた時に、ポータブルコンピュータおよびドックの相互のロジックのアドレスやデータバスのような各種の制御信号の信号経路がインターフェイスケーブルを介して電気的に導通されるようになっている（例えば特許文献１参照）。
【特許文献１】米国特許第６，４０７，９１４ Ｂ１号明細書
【発明の開示】
【発明が解決しようとする課題】
【０００６】
インターフェイスケーブルのコネクタをトレイおよびドックに接続した状態では、インターフェイスケーブルがトレイやドックの外に引き出された状態となる。この結果、インターフェイスケーブルが常に剥き出しとなり、拡張装置の見栄えが悪くなる。
【０００７】
さらに、インターフェイスケーブルの取り回し経路が定まらないので、例えば拡張装置を持ち運んだ時に、インターフェイスケーブルが周囲の物品に絡み付いたり、引っ掛かることがあり得る。このため、インターフェイスケーブルの変形や断線の原因となるとともに、インターフェイスケーブルの取り扱いに注意を要するといった問題が生じてくる。
【０００８】
本発明の目的は、ケーブルを一定の位置に収納でき、外観が良好となるとともに、ケーブルの変形を防止できる支持装置を得ることにある。
【課題を解決するための手段】
【０００９】
上記目的を達成するため、本発明の一つの形態に係る支持装置は、  
第１の筐体と、  
上記第１の筐体を取り外し可能に支持する第２の筐体と、  
上記第１の筐体と上記第２の筐体との間を電気的に接続するケーブルとを備え、  
上記第２の筐体は、上記第１の筐体を載せた時に上記ケーブルを収めるケーブル収納部を有することを特徴としている。
【発明の効果】
【００１０】
本発明によれば、ケーブルが常に剥き出しとならずに済み、支持装置の見栄えが良好となる。それとともに、第２の筐体を第１の筐体に載せた時にケーブルの位置や取り回し経路が定まり、ケーブルの変形や損傷を防止することができる。
【発明を実施するための最良の形態】
【００１１】
以下本発明の実施の形態を図面に基づいて説明する。
【００１２】
図１は、携帯形の電子機器としてのポータブルコンピュータ１と、ポータブルコンピュータ１の機能を拡張する際に用いる支持装置２を開示している。
【００１３】
ポータブルコンピュータ１は、本体ユニット３と表示ユニット４とを備えている。本体ユニット３は、図示しないCPUやハードディスク駆動装置のような主要な構成要素を内蔵している。本体ユニット３は、その上面にキーボード５を有するとともに、底面に図４に示すような拡張用コネクタ６を有している。
【００１４】
表示ユニット４は、タブレット７を収容している。タブレット７は、タブレットペンを用いて入力操作を実行する入力面７ａを有している。入力面７ａは、表示ユニット４の前面に形成した開口部８を通じて表示ユニット４の外部に露出している。
【００１５】
表示ユニット４は、図示しないヒンジを介して本体ユニット３に連結されている。表示ユニット４は、キーボード５を露出させるように起立する開き位置と、キーボード５を上方から覆う閉じ位置との間で回動可能となっている。さらに、表示ユニット４は、開き位置において縦軸回りに１８０°反転可能となっている。
【００１６】
開き位置にある表示ユニット４を１８０°反転させた後、この表示ユニット４を閉じ位置に向けて回動させると、表示ユニット４は、入力面７ａを上向きにした姿勢で本体ユニット３の上に横たわる。これにより、ポータブルコンピュータ１が手書き入力モードに切り換わり、例えば入力面７ａをタブレットペンで触れることで手書き入力を行えるようになっている。
【００１７】
支持装置２は、第１の筐体としてのドッキングトレイ１０、第２の筐体としてのドッキングベース１１および一本のフレキシブルなケーブル１２を備えている。
【００１８】
図４および図５に示すように、ドッキングトレイ１０は、例えば机の天板のような水平な据え付け面１３の上に置かれる台座１４と、ポータブルコンピュータ１を取り外し可能に受け止めるターンテーブル１５とで構成されている。
【００１９】
台座１４は、合成樹脂製のテーブル支持部１６を有している。テーブル支持部１６は、下向きに開放された四角い偏平な箱状であり、後壁１６ａ、上壁１６ｂおよび左右の側壁１６ｃを有している。テーブル支持部１６の上壁１６ｂは、ドッキングトレイ１０の前方に進むに従い下向きに傾斜しており、この上壁１６ｂの上面の中央部に円形の凹部１７が形成されている。
【００２０】
テーブル支持部１６の後壁１６ａと左右の側壁１６ｃとで規定される角部に一対の第１の係止部１９ａ，１９ｂが形成されている。第１の係止部１９ａ，１９ｂは、夫々フランジ状をなすとともに、側壁１６ｃの側方に張り出している。テーブル支持部１６の前端部に一対の第２の係止部２０ａ，２０ｂが形成されている。第２の係止部２０ａ，２０ｂは、夫々フランジ状をなすとともに、側壁１６ｃの側方に張り出している。このため、第１および第２の係止部１９ａ，１９ｂ，２０ａ，２０ｂは、テーブル支持部１６の四隅に位置している。
【００２１】
テーブル支持部１６の下端は、金属製の底板２１で覆われている。底板２１は、テーブル支持部１６との間にケーブル収容室２２を形成している。底板２１は、四つの舌片２３を有している。舌片２３は、夫々テーブル支持部１６の第１および第２の係止部１９ａ，１９ｂ，２０ａ，２０ｂの下面に重ねられており、これら舌片２３に据え付け面１３に接するゴム脚２４が設置されている。
【００２２】
テーブル支持部１６の後端部に第１のケーブル出口２５が形成されている。第１のケーブル出口２５は、後壁１６ａと底板２１とで規定される角部に位置するとともに、ケーブル収容室２２に開口している。
【００２３】
ターンテーブル１５は、ポータブルコンピュータ１の本体ユニット３に対応する大きさの偏平な四角い箱状をなしている。ターンテーブル１５は、本体ユニット３が取り外し可能に置かれる平坦な載置面２７と、この載置面２７の反対側に位置する底面２８とを備えている。載置面２７の中央部に中継コネクタ２９と、一対のイジェクト部材３０ａ，３０ｂが配置されている。中継コネクタ２９は、ポータブルコンピュータ１の本体ユニット３を載置面２７の上の定位置に載せた時に、本体ユニット３の拡張用コネクタ６に取り外し可能に接続される。
【００２４】
イジェクト部材３０ａ，３０ｂは、載置面２７の上に置かれた本体ユニット３を載置面２７から押し出すためのものであり、中継コネクタ２９を間に挟んで互いに隣り合っている。イジェクト部材３０ａ，３０ｂは、載置面２７から僅かに張り出す待機位置と、載置面２７の上に大きく突出するイジェクト位置との間で移動可能にターンテーブル１５に支持されている。イジェクト部材３０ａ，３０ｂは、常に待機位置に保持されている。
【００２５】
本体ユニット３が載置面２７の上に置かれている時に、イジェクト部材３０ａ，３０ｂを待機位置からイジェクト位置に移動させると、イジェクト部材３０ａ，３０ｂが本体ユニット３の底面に突き当たる。これにより、本体ユニット３が載置面２７から遠ざかる方向に押し出され、拡張用コネクタ６と中継コネクタ２９との接続が解除される。
【００２６】
図４に示すように、ターンテーブル１５の底面２８の中央部に円形の凸部３１が形成されている。凸部３１は、テーブル支持部１６の凹部１７に入り込んでいる。ターンテーブル１５の凸部３１は、中空のヒンジ軸３２を介してテーブル支持部１６の凹部１７に回動可能に連結されている。ターンテーブル１５は、ヒンジ軸３２を中心に９０°の角度範囲に亘って回動可能となっている。
【００２７】
言い換えると、ターンテーブル１５は、載置面２７の上に例えば手書き入力モードに切り換えられたポータブルコンピュータ１を載せた時に、このポータブルコンピュータ１の入力面７ａが横置きとなる第１の回動位置と、入力面７ａが縦置きとなる第２の回動位置との間で回動可能となっている。このターンテーブル１５は、第１の回動位置および第２の回動位置において図示しないロック機構によりロックされる。
【００２８】
ターンテーブル１５の一端部に運搬用のハンドルバー３４が取り付けられている。ハンドルバー３４は、ターンテーブル１５の一辺と略平行に配置されている。このハンドルバー３４とターンテーブル１５の一辺とで囲まれる領域にイジェクトレバー３５とロック解除レバー３６が配置されている。レバー３５，３６は、ハンドルバー３４の一端および他端に位置し、このハンドルバー３４の長手方向に互いに離れている。
【００２９】
イジェクトレバー３５は、載置面２７の上のイジェクト部材３０ａ，３０ｂに連動しており、このイジェクトレバー３５を操作することで、イジェクト部材３０ａ，３０ｂが待機位置からイジェクト位置に向けて移動する。ロック解除レバー３６は、ターンテーブル１５のロック機構に連動しており、このロック解除レバー３６を操作することで、ターンテーブル１５のロックが解除される。
【００３０】
図２、図３および図６に示すように、上記ドッキングベース１１は、据え付け面１３の上に置かれる本体４０と、この本体４０に連結されたトレイ支持部４１とを備えている。本体４０は、例えばCD-ROMドライブとDVD-ROMドライブとを一体化したマルチドライブ４２を収容しているとともに、PS2、シリアル、パラレルおよびUSBのような複数の補助コネクタ４３を装備している。補助コネクタ４３は、例えばフロッピーディスクドライブやプリンタのような周辺機器を接続するためのものであり、本体４０の背面および側面に設置されている。そのため、本実施の形態では、マルチドライブ４２および補助コネクタ４３がポータブルコンピュータ１の機能を拡張する機能拡張部を構成している。
【００３１】
本体４０は、上向きに突出する凸部４４を備えている。凸部４４は、前面４４ａと後面４４ｂを有している。前面４４ａは、凸部４４の上端に進むに従い後方に向けて傾斜しているとともに、後面４４ｂは凸部４４の上端に進むに従い前方に向けて傾斜している。このため、凸部４４は、上方に進むに従い先細り状に尖っている。
【００３２】
凸部４４の上部に溝部４５が形成されている。溝部４５は、本体４０の幅方向に沿う中央部に位置するとともに、この本体４０の奥行き方向に延びている。溝部４５は、凸部４４の前面４４ａおよび後面４４ｂに開口している。
【００３３】
図２に示すように、凸部４４の前面４４ａの中央部に第２のケーブル出口４６が形成されている。第２のケーブル出口４６は、本体４０の内部に開口するとともに、溝部４５の前端部に位置している。
【００３４】
上記トレイ支持部４１は、上記ドッキングトレイ１０を取り外し可能に支持するためのものであり、偏平な中空の箱状をなしている。トレイ支持部４１は、本体４０の上方に突出するように起立している。図６ないし図８に示すように、トレイ支持部４１の下端部は一対のヒンジ軸４７（一方のみを図示）を介して本体４０の前端部に連結されている。ヒンジ軸４７は、溝部４５を間に挟んで本体４０の幅方向に振り分けて配置されているとともに、本体４０の幅方向に水平に配置されている。
【００３５】
ヒンジ軸４７は、第１の軸部４７ａと第２の軸部４７ｂとを有している。第１および第２の軸部４７ａ，４７ｂは同軸状に連結されているとともに、この連結部分に軸回り方向への自由な回動を制限するブレーキ力が付与されている。ヒンジ軸４７の第１の軸部４７ａは、ねじ４８を介して本体４０の前端部に固定されているとともに、ヒンジ軸４７の第２の軸部４７ｂは、ねじ４９を介してトレイ支持部４１の下端部に固定されている。
【００３６】
このため、トレイ支持部４１は、凸部４４の前面４４ａに沿うように傾斜する第１の傾斜位置と、凸部４４の前面４４ａから遠ざかるように起立する第２の傾斜位置との間で回動可能であるとともに、これら第１の傾斜位置と第２の傾斜位置との間の任意な位置に保持されるようになっている。
【００３７】
したがって、トレイ支持部４１に取り付けたドッキングトレイ１０に手書き入力モードにあるポータブルコンピュータ１を載せた時に、ポータブルコンピュータ１の入力面７ａをオペレータが見易いように、ポータブルコンピュータ１の傾斜角度を自由に変えられるようになっている。
【００３８】
図７ないし図９に示すように、トレイ支持部４１は、一対のストッパ５１を有している。ストッパ５１は、トレイ支持部４１の過度の回動を制限するためのものである。ストッパ５１は、トレイ支持部４１の左端部および右端部に位置するとともに、このトレイ支持部４１と本体４０との間に跨っている。ストッパ５１は、夫々金属製の帯板にて構成され、上記ヒンジ軸４７を中心とする円弧を描くように湾曲している。
【００３９】
ストッパ５１は、第１の端部５１ａと第２の端部５１ｂとを有している。第１の端部５１ａは、トレイ支持部４１の内側に導入されて、このトレイ支持部４１の内面のボス部５２に固定されている。ストッパ５１の第２の端部５１ｂは、凸部４４の前面４４ａに開けた貫通孔５３を通じて凸部４４の内側に導入されている。ストッパ５１の第２の端部５１ｂに上向きに折り返された係止片５４が形成されている。係止片５４は、トレイ支持部４１が第２の傾斜位置に達した時に貫通孔５３の開口縁部に引っ掛かる。これにより、トレイ支持部４１の回動が制限され、このトレイ支持部４１が第２の傾斜位置に保持される。
【００４０】
トレイ支持部４１は、ドッキングトレイ１０の台座１４を受け止める前面５６を有している。前面５６は、台座１４よりも幅寸法が大きく形成されており、その左側部と右側部に夫々一対のトレイ受け５７，５８が形成されている。トレイ受け５７，５８は、前面５６の高さ方向に離れているとともに、前面５６の上端部の方向に進むに従い前面５６から張り出すように傾斜している。各トレイ受け５７，５８の上端部には、上向きに開放する嵌合溝５９が形成されている。
【００４１】
図２および図３は、ドッキングトレイ１０をトレイ支持部４１の前面５６の上に載せた状態を開示している。ドッキングトレイ１０は、トレイ支持部４１の上方から前面５６の上に落とし込まれるようになっている。これにより、台座１４のテーブル支持部１６がトレイ受け５７，５８の間に入り込むとともに、台座１４の四隅に位置する第１および第２の係止部１９ａ，１９ｂ，２０ａ，２０ｂがトレイ受け５７，５８の上端の嵌合溝５９に嵌まり込む。
【００４２】
この結果、ドッキングトレイ１０は、第１および第２の係止部１９ａ，１９ｂ，２０ａ，２０ｂを介してトレイ支持部４１に取り出し可能に保持され、台座１４の四隅のゴム脚２４が前面５６に接している。
【００４３】
一方、上記ケーブル１２は、上記ドッキングトレイ１０と上記ドッキングベース１１との間に跨っている。図１０に示すように、ケーブル１２は複数の信号線６０、絶縁層６１、内側シールド層６２ａ、外側シールド層６２ｂおよび保護チューブ６３を備えている。
【００４４】
信号線６０は、ドッキングトレイ１０の中継コネクタ２９とドッキングベース１１の機能拡張部との間を電気的に接続している。絶縁層６１は、信号線６０を被覆することで信号線６０を一つに束ねている。内側シールド層６２ａおよび外側シールド層６２ｂは、絶縁層６１を外側から二重に被覆している。保護チューブ６３は透明な合成樹脂製であり、外側シールド層６２ｂを被覆している。このため、本実施形態のケーブル１２は、例えば１０mm前後の太さを有している。
【００４５】
図４に示すように、ケーブル１２の一端は、第１のケーブル出口２５から台座１４の内側のケーブル収容室２２に導かれるとともに、ここからヒンジ軸２３の内側を通してターンテーブル１５の内側に引き回されている。ケーブル１２の信号線６０は、ターンテーブル１５の中継コネクタ２９に接続されている。
【００４６】
第１のケーブル出口２５にケーブル１２が貫通するケーブルガイド６５が設置されている。ケーブルガイド６５は、第１のケーブル出口２５からのケーブル１２の引き出し方向をガイドするためのものであり、ドッキングトレイ１０のケーブル支持部１６に回動可能に支持されている。
【００４７】
ケーブル１２の他端は、第２のケーブル出口４６から本体４０の内側に導かれている。ケーブル１２の信号線６０は、上記マルチドライブ４２や補助コネクタ４３に接続されている。第２のケーブル出口４６にケーブル１２が貫通するケーブルガイド６６が設置されている。ケーブルガイド６６は、第２のケーブル出口４６からのケーブル１２の引き出し方向をガイドするためのものであり、ドッキングベース１１の本体４０に回動可能に支持されている。
【００４８】
図１に示すように、トレイ支持部４１の前面５６の中央部にスリット状の開口部６７が形成されている。開口部６７は、トレイ受け５７，５８の間においてトレイ支持部４１の高さ方向に延びている。開口部６７の下端は、トレイ支持部４１の下端部に開口しており、この開口端の真下に第２のケーブル出口４６が位置している。
【００４９】
トレイ支持部４１にケーブル収納部としてのケーブルホルダ７０が取り付けられている。ケーブルホルダ７０は、例えば透明なポリカーボネート樹脂材料で作られており、一端にケーブル導入口７１を有する偏平な箱状をなしている。ケーブルホルダ７０は、トレイ支持部４１の開口部６７の内側に嵌まり込んでいる。このケーブルホルダ７０のケーブル導入口７１は、トレイ支持部４１の前面５６に開口している。
【００５０】
図３および図６に示すように、ケーブルホルダ７０は、トレイ支持部４１の後方に突出する突出端７０ａを有している。ケーブルホルダ７０の突出端７０ａは、ケーブル導入口７１と向かい合っている。この突出端７０ａは、円弧状に湾曲するとともに支持装置２の外方に開口することなく閉じられている。突出端７０ａの下部は、本体４０の溝部４５に入り込んでいる。
【００５１】
ケーブルホルダ７０は、ケーブル導入口７１と突出端７０ａとの間を結ぶ一対の側壁７２ａ，７２ｂを有している。側壁７２ａ，７２ｂは互いに向かい合っており、これら側壁７２ａ，７２ｂの間にケーブル１２が取り出し可能に入り込む収納室７３が形成されている。収納室７３は、ケーブル導入口７１に連なっている。
【００５２】
図１０および図１１に示すように、ケーブルホルダ７０の突出端７０ａおよび側壁７２ａ，７２ｂの内面に複数のリブ状凸部７５が一体に形成されている。凸部７５は、突出端７０ａからケーブル導入口７１に向けて延びるとともに、互いに間隔を存して平行に配置されている。凸部７５は、収納室７３に露出しており、その先端がケーブル１２の外周面となる保護チューブ６３に摺動可能に接するようになっている。
【００５３】
このような構成の支持装置２は、図１に示すようにドッキングベース１１から取り外されたドッキングトレイ１０にポータブルコンピュータ１を載せて使用する第１の使用形態と、ドッキングベース１１に取り付けたドッキングトレイ１０にポータブルコンピュータ１を載せて使用する第２の使用形態とを備えている。
【００５４】
第１の使用形態では、ドッキングトレイ１０は、ドッキングベース１１と共に据え付け面１３の上に置かれるとともに、オペレータから見てドッキングベース１１よりも手前に位置している。このため、ケーブル１２は、ドッキングベース１１の前端部からドッキングトレイ１０の後端部に向けて据え付け面１３の上に引き出されている。
【００５５】
据え付け面１３の上に置かれたドッキングトレイ１０を持ち上げてドッキングベース１１のトレイ支持部４１に近づけると、ケーブル１２が据え付け面１３の上方に移動する。このケーブル１２の移動により、ドッキングベース１１のケーブルガイド６６が上向きに回動し、第２のケーブル出口４６から引き出されたケーブル１２をケーブル導入口７１の下端部に導く。
【００５６】
ドッキングトレイ１０をトレイ支持部４１の前面５６と向かい合う位置まで移動させると、ケーブル１２がケーブル導入口７１の下端部から順次ケーブルホルダ７０の収納室７３に押し込まれていく。それとともに、ドッキングトレイ１０の第１のケーブル出口２５がケーブル導入口７１の上端部と向かい合い、ここから引き出されたケーブル１２が下向きに引張られる。このため、第１のケーブル出口２５に位置するケーブルガイド６５が下向きに回動し、第１のケーブル出口２５から引き出されたケーブル１２がケーブル導入口７１の上端部から順次ケーブルホルダ７０の収納室７３に押し込まれていく。
【００５７】
ドッキングトレイ１０をトレイ支持部４１の前面５６に載せた第２の使用形態では、台座１４の底板２１が前面５６と向かい合い、この台座１４の四隅に位置する第１および第２の係止部１９ａ，１９ｂ，２０ａ，２０ｂがトレイ受け５７，５８の嵌合溝５９に引っ掛かる。これにより、ドッキングトレイ１０の第１のケーブル出口２５から引き出されたケーブル１２は、ケーブル導入口７１の上端部からケーブルホルダ７０の収納室７３に導かれる。それとともに、ドッキングベース１１の第２のケーブル出口４６から引き出されたケーブル１２は、ケーブル導入口７１の下端部からケーブルホルダ７０の収納室７３に導かれる。
【００５８】
この結果、ドッキングトレイ１０とドッキングベース１１との間に跨るケーブル１２は、ケーブルホルダ７０の突出端７０ａに沿って円弧状に湾曲された状態でケーブルホルダ７０の収納室７３に収まる。
【００５９】
本発明の実施形態によると、ドッキングトレイ１０をドッキングベース１１のトレイ支持部４１に載せた第２の使用形態では、ドッキングトレイ１０とドッキングベース１１との間に跨るケーブル１２がケーブルホルダ７０の収納室７３に収まる。このため、ドッキングトレイ１０がドッキングベース１１と一体化された時にケーブル１２が剥き出しとならず、支持装置２の見栄えが良好となる。
【００６０】
さらに、ドッキングトレイ１０をドッキングベース１１のトレイ支持部４１に載せた時点では、ケーブル１２がケーブルホルダ７０によって保護され、このケーブル１２の位置や姿勢が一定に保たれる。このため、例えば支持装置２を移動させたとしても、ケーブル１２が周囲の部品に絡み付いたり引っ掛かることはなく、ケーブル１２の変形や損傷を防止できる。
【００６１】
その上、上記構成によると、ケーブルホルダ７０は透明な樹脂製であるから、このケーブルホルダ７０の突出端７０ａや側壁７２ａ，７２ｂを通して中のケーブル１２が透けて見える。そのため、ケーブルホルダ７０の内部の収納室７３にケーブル１２が入り込んでいく過程をケーブルホルダ７０の外から目で確認することができ、例えばケーブル１２が捩じれたり、折れ曲がったまま収納室７３に入り込むのを防止できる。
【００６２】
加えて、ケーブル１２の外周面の保護チューブ６３およびケースホルダ７０は共に合成樹脂製であるから、ケーブル１２の保護チューブ６３がケースホルダ７０の内面に密着すると、保護チューブ６３がケースホルダ７０の内面に吸い付いてしまうことがある。このため、ケーブル１２がケースホルダ７０の内側に入り込む際に、ケーブル１２とケースホルダ７０との接触部分に大きな摺動抵抗が生じ、ケーブル１２がケースホルダ７０の内部で動き難くなる。
【００６３】
しかるに、上記構成のケーブルホルダ７０によると、その収納室７３に臨む内面に突出端７０ａからケーブル導入口７１に向けて延びる複数の凸部７５が間隔を存して形成されている。このため、ケーブル１２の保護チューブ６３は、ケーブルホルダ７０の内側に入り込んだり、あるいは逆にケーブルホルダ７０から引き出される時に、凸部７５の先端の間に跨るように接触し、側壁７２ａ，７２ｂの内面に対し部分的に浮き上がった状態となる。
【００６４】
この結果、保護チューブ６３が軸方向に連続して側壁７２ａ，７２ｂの内面に密着することはなく、側壁７２ａ，７２ｂに対する保護チューブ６３の滑りが良好となる。言い換えると、凸部７５がケーブル１２の保護チューブ６３の滑りを良くするガイドレールとしての機能を果す。したがって、ケーブルホルダ７０の内部でのケーブル１２の動きが滑らかとなり、ケーブルホルダ７０に対するケーブル１２の出し入れを容易に行うことができる。
【００６５】
なお、上記実施の形態では、ケーブルホルダを透明な合成樹脂製としたが、本発明はこれに限らず、例えばケーブルホルダを金属製としてもよい。
【図面の簡単な説明】
【００６６】
【図１】ポータブルコンピュータを支持するドッキングトレイとドッキングベースとを互いに分離させた状態を示す支持装置の斜視図。
【図２】ドッキングベースにドッキングトレイを取り付けた状態を示す支持装置の斜視図。
【図３】ドッキングベースに取り付けたドッキングトレイにポータブルコンピュータを載せた状態を示す斜視図。
【図４】台座とターンテーブルとの連結構造を示すドッキングトレイの断面図。
【図５】ドッキングトレイの斜視図。
【図６】ドッキングベースの側面図。
【図７】本体とトレイ支持部との連結部分の構造を示すドッキングベースの断面図。
【図８】本体とトレイ支持部との連結部分の構造を示すドッキングベースの斜視図。
【図９】本体の凸部とストッパとの位置関係を示すドッキングベースの斜視図。
【図１０】ケーブルおよびケーブルホルダの断面図。
【図１１】図６のA−A線に沿う断面図。
【符号の説明】
【００６７】
１…電子機器（ポータブルコンピュータ）、１０…第１の筐体（ドッキングトレイ）、１１…第２の筐体（ドッキングベース）、１２…ケーブル、４０…本体、４１…支持部、７０…ケーブル収納部（ケーブルホルダ）。
【図１】
2005148931.tif 000003
【図２】
2005148931.tif 000004
【図３】
2005148931.tif 000005
【図４】
2005148931.tif 000006
【図５】
2005148931.tif 000007
【図６】
2005148931.tif 000008
【図７】
2005148931.tif 000009
【図８】
2005148931.tif 000010
【図９】
2005148931.tif 000011
【図１０】
2005148931.tif 000012
【図１１】
2005148931.tif 000013